(57)【特許請求の範囲】
【請求項１】
容器の上端から上方に延出したステムが配設されており、該ステムを初期位置から下方に押し下げることによって内容物が該ステムに形成されている排出路を通して排出される形態の容器に適用されるアクチュエータにして、該容器の上端に装着される合成樹脂製本体と該本体に装着される合成樹脂製操作部材とを具備し、該本体には該ステムの該排出路に対向して位置せしめられる導入口から吐出口まで延在する吐出路が形成されており、該吐出路の該導入口の周縁領域には該ステムの上端周縁領域に対向して位置し且つ下降せしめられることによって該ステムを押し下げるステム押し下げ面が規定されているアクチュエータにおいて、
該本体には、上面が開放され且つ底壁には該吐出路に連通された連通孔が形成されている吸引室が配設されており、
該操作部材は、上壁、該上壁の両側縁の各々から垂下する一対の被案内壁、該上壁の下面から垂下する垂下壁、該垂下壁の下端に接続された昇降板部、及び該一対の被案内壁の各々に付設された弾性部材を有し、該被案内壁が該本体に昇降動自在に組み合わされ、該昇降板部が該本体の該吸引室内に昇降動自在に収容され、該弾性部材が該本体に対して該操作部材を該昇降板部が該吸引室の該底壁から離隔して位置する上昇位置に偏倚し、
該弾性部材の各々は、凹状半円形状部と凸状半円形状部とから構成され、該凹状半円形状部の中心部と該凸状半円形状部の中心部とが一体に接続され、該凹状半円形状部の片端が該被案内壁の下端に一体に接続され、該凹状半円形状部の他端及び該凸状半円形状部の両端は自由端であり、該凹状半円形状部の該他端は該被案内壁の下端に当接され、該凸状半円形状部の該両端は該本体に当接され、
該弾性部材の弾性偏倚作用に抗して該上壁、該一対の被案内壁及び該垂下壁と共に該昇降板部を該上昇位置から下降せしめて該吸引室の底壁に当接せしめ、更に該昇降板部を下降せしめることによって、該本体の該ステム押し下げ面が下降せしめられて該ステムが該初期位置から押し下げられ、該ステムの該排出路及び該本体の該吐出路を通して内容物が吐き出され、該弾性部材の弾性偏倚作用によって該上壁、該一対の被案内壁及び該垂下壁と共に該昇降板部が該上昇位置に戻されると、該ステムが該初期位置に戻されると共に、該本体の該吐出路内に残留する内容物が該吸引室内に吸引される、
ことを特徴とするアクチュエータ。
【請求項２】
該本体の該吐出路は、該導入口から上方に延びる第一の部分と該第一の部分に続いて横方向に該吐出口まで延びる第二の部分とを有する、請求項１記載のアクチュエータ。
【請求項３】
該吸引室の該連通孔は該吐出路の該第一の部分と該第二の部分との接続部位に連通せしめられている、請求項２記載のアクチュエータ。
【請求項４】
該本体には直径方向に間隔をおいて上方に延びる一対の案内壁が形成されており、該一対の案内壁の各々の内面と該一対の被案内壁の各々の外面との一方には上下方向に延びる少なくとも１個のスリット又は溝が形成されており、該一対の案内壁の各々の内面と該一対の被案内壁の各々の外面との他方には該スリット又は該溝に係合せしめられる少なくとも１個の突起が形成されている、請求項１から３までのいずれかに記載のアクチュエータ。
【請求項５】
該操作部材は、該本体の該吐出路の該吐出口を覆う閉位置と該吐出口を露呈せしめる開位置との間を旋回自在であるカバー部を有し、該昇降板部が該上昇位置に位置せしめられると該カバー部は該閉位置に位置せしめられ、該昇降板部が該吸引室の該底壁に当接する位置まで下降されると該カバー部は該開位置に位置せしめられる、請求項１から４までのいずれかに記載のアクチュエータ。
【請求項６】
該カバー部は弾性変形自在な薄肉片を介して該上壁に一体に接続されていると共に、該本体に旋回自在に連結されている、請求項５記載のアクチュエータ。
【請求項７】
該本体は該吐出口を密閉する閉塞位置と該吐出口を開放する開放位置との間を旋回自在に一体形成された閉塞蓋を有し、該操作部材の該カバー部には、該カバー部が該閉位置に位置せしめられると該閉塞蓋を該閉塞位置に強制する強制片と該カバー部が該閉位置から該開位置に旋回せしめられる際に該閉塞蓋に当接して該閉塞蓋を該閉塞位置から該開放位置に旋回せしめる開動片が一体形成されている、請求項５又は６記載のアクチュエータ。
【発明の詳細な説明】
【技術分野】
【０００１】
本発明は、容器から吐き出されると発泡するジェルの如き内容物を収容した容器に適用されるアクチュエータ、更に詳しくは容器の上端から上方に延出したステムが配設されており、このステムを初期位置から下方に押し下げることによって内容物がステムに形成されている排出路を通して排出される形態の容器に適用されるアクチュエータに関する。
【背景技術】
【０００２】
例えばシェービングフォームとして使用される物質は、周知の如く、ジェル状或いは泡状内容物として容器内に加圧状態で収容されて販売されている。容器にはその上端から上方に延出するステムが配設されており、このステムを初期位置から下方に押し下げることによって内容物がステムに形成されている排出路を通して排出され、ステムに加えられていた押し下げ力が開放されるとステムが初期位置に戻されて内容物の排出が停止される。かような容器には、容器の上端に装着される合成樹脂製本体とこの本体に装着される合成樹脂製操作部材とを具備するアクチュエータが適用されている。アクチュエータの本体にはステムの排出路に対向して位置せしめられる導入口から吐出口まで延在する吐出路が形成されている。吐出路の導入口の周縁領域にはステムの上端周縁領域に対向して位置し且つ下降せしめられることによってステムを押し下げるステム押し下げ面が規定されている。操作部材を下方に強制することによってステム押し下げ面が下降せしめられてステムが押し下げられ、ステムの排出路を通して排出された内容物がアクチュエータの本体に形成されている吐出路を通して吐き出される。操作部材の強制を解除すると、ステムが初期位置に戻されて内容物の吐き出しが停止される。
【０００３】
而して、上記のとおりの形態の従来のアクチュエータには、ステムが初期位置に戻された後にアクチュエータの本体に形成されている吐出路から吐き出されることなく吐出路内に残留する内容物が漸次発泡し、これによる体積の増加に伴って吐出口から漏出してしまう（かかる漏出は一般に「アフタードロー」と称されている）、という問題がある。かかる問題を解決するために、下記特許文献１に開示されているアクチュエータにおいては、上面が開放され且つ底面には吐出路に連通された連通孔が形成された吸引室を本体に形成し、かかる吸引室を操作部材の上面壁で覆うことが提案されている。ステムを初期位置から下降せしめて内容物を吐き出すために操作部材の上面壁を下方に強制すると、上面壁が凹状に弾性変形せしめられて吸引室の容積が低減される。ステムを初期位置に戻して内容物の吐き出しを停止するために操作部材の上面壁の下方への強制を解除すると、上面壁が元の状態に弾性的に復元され、吸引室の容積が増大即ち復帰せしめられる。吸引室の容積の増大に起因して、吐出路から吐き出されることなく吐出路内に残留する内容物が吸引室に吸引され、それ故に残留内容物が漸次発泡しても吐出口からの漏出が抑制される。
【先行技術文献】
【特許文献】
【０００４】
【特許文献１】特開平９−１４１１４７号公報
【発明の概要】
【発明が解決しようとする課題】
【０００５】
上記特許文献１に開示されているアクチュエータにおいては、吸引室の容積の増減は操作部材の上面壁の弾性変形のみに依存している故に、吸引室の容積の増減を充分なものにせしめることが困難であり、漸次発泡する残留内容物が吐出口から漏出することを充分確実に回避することができない。
【０００６】
本発明は上記事実に鑑みてなされたものであり、その主たる技術的課題は、吐出路に残留せしめられた内容物が漸次発泡して吐出口から漏出することが充分確実に回避され、そしてまた独特な形態の弾性部材が操作部材と一体に形成されていて部品数が可及的に抑制されている、新規且つ改良されたアクチュエータを提供することである。
【課題を解決するための手段】
【０００７】
本発明者は、鋭意検討の結果、本体の吸引室内に昇降自在に収容された昇降板部を操作部材に配設すると共に、かかる昇降板部を吸引室の底面から上方に離隔した上昇位置に弾性的に偏倚する弾性部材を配設し、弾性部材を凹状半円形状部と凸状半円形状部とから構成し、凹状半円形形状部の中心部と凸状半円形状部の中心部とが一体に接続され、凹状半円形状部の片端が被案内壁の下端に一体に接続され、凹状半円形状部の他端及び凸状半円形状部の両端は自由端であり、凹状半円形状部の他端は被案内壁の下端に当接され、凸状半円形状部の両端は本体に当接される形態にせしめることによって、上記主たる技術的課題を解決することができることを見出した。
【０００８】
即ち、本発明によれば、上記主たる技術的課題を解決するアクチュエータとして、容器の上端から上方に延出したステムが配設されており、該ステムを初期位置から下方に押し下げることによって内容物が該ステムに形成されている排出路を通して排出される形態の容器に適用されるアクチュエータにして、該容器の上端に装着される合成樹脂製本体と該本体に装着される合成樹脂製操作部材とを具備し、該本体には該ステムの該排出路に対向して位置せしめられる導入口から吐出口まで延在する吐出路が形成されており、該吐出路の該導入口の周縁領域には該ステムの上端周縁領域に対向して位置し且つ下降せしめられることによって該ステムを押し下げるステム押し下げ面が規定されているアクチュエータにおいて、
該本体には、上面が開放され且つ底壁には該吐出路に連通された連通孔が形成されている吸引室が配設されており、
該操作部材は、上壁、該上壁の両側縁の各々から垂下する一対の被案内壁、該上壁の下面から垂下する垂下壁、該垂下壁の下端に接続された昇降板部、及び該一対の被案内壁の各々に付設された弾性部材を有し、該被案内壁が該本体に昇降動自在に組み合わされ、該昇降板部が該本体の該吸引室内に昇降動自在に収容され、該弾性部材が該本体に対して該操作部材を該昇降板部が該吸引室の該底壁から離隔して位置する上昇位置に偏倚し、
該弾性部材の各々は、凹状半円形状部と凸状半円形状部とから構成され、該凹状半円形状部の中心部と該凸状半円形状部の中心部とが一体に接続され、該凹状半円形状部の片端が該被案内壁の下端に一体に接続され、該凹状半円形状部の他端及び該凸状半円形状部の両端は自由端であり、該凹状半円形状部の該他端は該被案内壁の下端に当接され、該凸状半円形状部の該両端は該本体に当接され、
該弾性部材の弾性偏倚作用に抗して該上壁、該一対の被案内壁及び該垂下壁と共に該昇降板部を該上昇位置から下降せしめて該吸引室の底壁に当接せしめ、更に該昇降板部を下降せしめることによって、該本体の該ステム押し下げ面が下降せしめられて該ステムが該初期位置から押し下げられ、該ステムの該排出路及び該本体の該吐出路を通して内容物が吐き出され、該弾性部材の弾性偏倚作用によって該上壁、該一対の被案内壁及び該垂下壁と共に該昇降板部が該上昇位置に戻されると、該ステムが該初期位置に戻されると共に、該本体の該吐出路内に残留する内容物が該吸引室内に吸引される、
ことを特徴とするアクチュエータが提供される。
【０００９】
好ましくは、該本体の該吐出路は、該導入口から上方に延びる第一の部分と該第一の部分に続いて横方向に該吐出口まで延びる第二の部分とを有する。そして、該吸引室の該連通孔は該吐出路の該第一の部分と該第二の部分との接続部位に連通せしめられているのが好適である。該本体には直径方向に間隔をおいて上方に延びる一対の案内壁が形成されており、該一対の案内壁の各々の内面と該一対の被案内壁の各々の外面との一方には上下方向に延びる少なくとも１個のスリット又は溝が形成されており、該一対の案内壁の各々の内面と該一対の被案内壁の各々の外面との他方には該スリット又は該溝に係合せしめられる少なくとも１個の突起が形成されているのが好都合である。好ましくは、該操作部材は、該本体の該吐出路の該吐出口を覆う閉位置と該吐出口を露呈せしめる開位置との間を旋回自在であるカバー部を有し、該昇降板部が該上昇位置に位置せしめられると該カバー部は該閉位置に位置せしめられ、該昇降板部が該吸引室の該底壁に当接する位置まで下降されると該カバー部は該開位置に位置せしめられる。該カバー部は弾性変形自在な薄肉片を介して該上壁に一体に接続されていると共に、該本体に旋回自在に連結されているのが好適である。該本体は該吐出口を密閉する閉塞位置と該吐出口を開放する開放位置との間を旋回自在に一体形成された閉塞蓋を有し、該操作部材の該カバー部には、該カバー部が該閉位置に位置せしめられると該閉塞蓋を該閉塞位置に強制する強制片と該カバー部が該閉位置から該開位置に旋回せしめられる際に該閉塞蓋に当接して該閉塞蓋を該閉塞位置から該開放位置に旋回せしめる開動片が一体形成されているのが好ましい。
【発明の効果】
【００１０】
本発明のアクチュエータにおいては、本体の吸引室内に昇降自在に収容され且つ上昇位置に弾性的に偏倚せしめられる昇降板部の昇降によって吸引室の容積が増減せしめられる故に、吸引室の容積の増減を充分なものにせしめることができ、かくして漸次発泡した内容物が吐出口から漏出することが充分確実に回避される。加えて、独特な形態の弾性部材が操作部材と一体に形成されており、部品数が可及的に抑制されている。
【図面の簡単な説明】
【００１１】
【図１】本発明に従って構成されたアクチュエータの好適実施形態の斜面図。
【図２】図１に示すアクチュエータにおける本体の斜面図。
【図３】図１に示すアクチュエータにおける操作部材を、その下方から見た斜面図。
【図４】図１に示すアクチュエータを示す断面図。
【図５】図１に示すアクチュエータを、操作部材を操作してその昇降板部を下降せしめて本体の吸引室の底面に当接せしめた状態で示す断面図。
【図６】図１に示すアクチュエータを、操作部材を操作してその昇降板部を図５に示す位置から更に下降せしめて容器のステムを初期位置から下方に押し下げた状態で示す断面図。
【発明を実施するための形態】
【００１２】
以下、本発明に従って構成されたアクチュエータを図示している添付図面を参照して、更に詳細に説明する。
【００１３】
図１乃至図３を参照して説明すると、全体を番号２で示す、本発明に従って構成されたアクチュエータは、本体４と操作部材６とから構成されている。本体４は、その全体を一体としてポリプロピレン又はポリエチレンの如き適宜の合成樹脂から射出成形することができる。同様に、操作部材６も、その全体を一体としてポリプロピレン又はポリエチレンの如き適宜の合成樹脂から射出成形することができる。
【００１４】
図２と共に図４を参照して説明を続けると、図示の実施形態における本体４は、円筒形状のスカート壁８を備えている。このスカート壁８の内周面下部には環状係止突条１０（図４）が形成されている。また、スカート壁８の内周面上半部には周方向に適宜の間隔をおいて上下方向に延びる複数個の突条１２（図４）が形成されている。
【００１５】
スカート壁８には直径方向に間隔をおいて上方に突出する一対の中空突出部１４が付設されている。中空突出部１４の各々は、スカート壁８に続いて上方に延出し且つ断面が弧状である外側壁１６、外側壁１６の周方向両側縁間を直線状に接続し且つ実質上鉛直に延びる案内壁１８、及び外側壁１６の上端縁と案内壁１８の上端縁とを接続する上面壁２０を有する。相互に平行に延在せしめられている案内壁１８の各々には、実質上鉛直に上下方向に延びる２個の案内スリット２２が形成されている。案内壁１８の各々には、更に、その片側縁近傍に実質上水平に突出し且つ横断面形状は半円弧状である突起２４も形成されている。案内壁１８の各々の下端縁には半径方向内方に延出する張出片２６が付設されている。
【００１６】
スカート壁８には、その上端縁から半径方向内側に半径状に延出する片持ち支持片２８も付設されている。この支持片２８は上記一対の中空突出部１４の中間に位置し、案内壁１８と平行に延在せしめられている。支持片２８の先端（半径方向内側端）には、小径円筒３０が配設されている。この小径円筒３０はスカート壁８と同心状に位置せしめられている。図４を参照することによって明確に理解される如く、小径円筒３０の内周面には下方を向いた環状肩面３２が形成されており、環状肩面３２よりも下方の部分の内径に比べて環状肩面３２よりも上方の部分の内径は幾分小さい（後に更に言及する如く、小径円筒３０の環状肩面３２に囲繞された部位はステムの排出路に対向して位置せしめられる導入口３３を規定し、環状肩面３２はステム押し下げ面を構成する）。小径円筒３０の上端部には上記支持片２８の上方を上記支持片２８と平行に実質上水平に延出する角筒３４が付設されている。角筒３４の内側空間の半径方向内側端は小径円筒３０の内側空間に連通せしめられている。角筒３４の半径方向外側部分は肉厚が幾分低減せしめられており、内側空間の断面積が幾分拡大せしめられている。小径円筒３０の環状肩面３２よりも上方の部分（即ち上記導入口３３よりも上方の部分）及び角筒３４の内側空間は吐出路３６を規定しており、この吐出路３６は小径円筒３０内を上下方向に実質上鉛直に延びる第一の部分と角筒３４内を横方向即ち半径方向に実質上水平に延びる第二の部分とから構成されている。吐出路３６の先端即ち第二の部分の先端には吐出口４２が規定されている。角筒３４の先端部上面には、薄肉ヒンジ片４４を介して閉塞蓋４６が図２に示す開放位置と図４に示す閉塞位置との間を旋回自在に連結されている。閉塞蓋４６の両側には角筒３４の両側面を超えて幅方向に突出する突出片４７が形成されている。閉塞蓋４６の内面には略矩形状の係合突条４８が形成されている。この係合突条４８の外側寸法は角筒３４の先端内側寸法に対応せしめられており、閉塞蓋４６が図４に示す閉塞位置に位置せしめられると、係合突条４８が角筒３４の先端部内に進入して吐出口４２を閉塞する。閉塞蓋４６が図２に示す開放位置に旋回せしめられると、吐出口４２が開放される。
【００１７】
図２及び図４を参照して説明を続けると、上記小径円筒３０の上端には吸引室５０が配設されている。この吸引室５０は、角筒３４の上側壁の半径方向内側端からに後方（図４において右方）に延在する底壁５２と、この底壁５２の周縁から上方に実質上鉛直に延びる側壁５４とから構成されている。底壁５２の４角部及び側壁５４の４角部は小径円弧形状にせしめられている。底壁５２には小径円筒３０と同心状である円形孔でよい連通孔５６が形成されており、吸引室５０は上記吐出路３６に連通、更に詳しくは上記吐出路３６の上記第一の部分と上記第二の部分との接続部に連通せしめられている。
【００１８】
図３と共に図４を参照して説明すると、図示の操作部材６は、実質上水平に延在する平板状の上壁５８とこの上壁５８の両側縁の各々から実質上鉛直に垂下している被案内壁６０とを含んでいる。上壁５８の後端部（図４において右端部）は被案内壁６０の後端縁を越えて後方に突出しており、上壁５８の後端縁中央部は凹円弧形状にせしめられている。被案内壁６０の各々の外側面には一対の突起６２が形成されている。一対の突起６２は相互に間隔をおいて実質上鉛直に延びる細長形状であり、一対の突起６２の幅は上記本体４の案内壁１８に形成されている案内スリット２２の幅に対応している。被案内壁６０の各々の下端縁には弾性部材６４が配設されている。弾性部材６４の各々は凹状半円形状部と凸状半円形状部とを夫々の中心部で接続した形態であり、その一端６４ａが被案内壁６０の下端縁に接続されている。弾性部材６４の他の３個の端６４ｂ、６４ｃ及び６４ｄは自由端を構成している。図４を参照することによって明確に理解される如く、上壁５８の下面には実質上鉛直に垂下する一対の垂下壁６６が形成されており、かかる一対の垂下壁６６の下端には実質上水平に延在する平板状の昇降板部６８が接続されている。昇降板部６８の外周縁には薄肉シール突状７０が形成されている。後に更に言及する如く、昇降板部６８の外形は上記本体４に配設されている吸引室５０の横断面形状に対応せしめられており、薄肉シール突状７０は吸引室５０の側壁５４の内面に密接せしめられる。
【００１９】
図３及び図４を参照して説明を続けると、上述した上壁５８の前方（図４において左方）にはカバー部７２が配設されている。このカバー部７２は実質上水平に延在する天面壁７４、天面壁７４の先端縁から実質上鉛直に垂下する前壁７６及び天面壁７４の両側縁から実質上鉛直に垂下する両側壁７８を有する。カバー部７２の天面壁７４の後縁は弾性変形自在な薄肉片８０を介して上壁５８の前縁に接続されている。上壁５８の両側縁から垂下する被案内壁６０の各々の前縁部には弾性変形自在な薄肉帯片８２が延出しており、かかる薄肉帯片８２の先端はカバー部７２の側壁７８の各々の後端部に形成されている切欠８４内に係合せしめられている。側壁７８の各々には切欠８４の上方に位置する円形孔８６も形成されている。円形孔８６の内径は上記本体４の案内壁１８に形成されている突起２４の外径に対応している。カバー部７２の前壁７６の内面には、幅方向に間隔をおいて後方（図４において右方）に突出し且つ実質上鉛直に延びる３個の強制片８８が形成され、そしてまた前壁７６の内面下端と側壁７８の各々の下端前部との間の角領域には、実質上水平に延出する開動片９０が形成されている。
【００２０】
上記本体４と操作部材６とは次のとおりに組み合わされる。図１乃至図４を参照して説明すると、操作部材６は本体４の中空突出部１４間に位置せしめられる。操作部材６の昇降板部６８は本体４の吸引室５０内に昇降自在に収容される。操作部材６の被案内壁６０の各々に形成されている一対の突起６２は本体４の案内壁１８の各々に形成されている一対のスリット２２内に昇降自在に係合される。所望ならば、案内壁１８に突起を形成し被案内壁６０にスリットを形成することもでき、そしてまた鉛直方向に延びるスリットに代えて鉛直方向に延びる溝を形成し、かかる溝に突起を昇降自在に係合することもできる。操作部材６におけるカバー部７２の両側壁７８に形成されている円形孔８６には本体４の案内壁１８の各々に形成されている突起２４が挿入され、これによってカバー部７２は突起２４を中心として旋回自在に本体４に連結される。図４に図示する状態においては、操作部材６におけるカバー部７２の前壁７６の内面に形成されている強制片８８の突出端縁が本体４の閉塞蓋４６の外面に当接することによって閉塞蓋４６は吐出路３６の吐出口４２を閉塞する閉塞位置に強制されている。操作部材６における弾性部材６４の自由端６４ｃ及び６４ｄは本体４の張出片２６の上面に当接せしめられ、本体４に対して操作部材６を図４に図示する上昇位置に弾性的に偏倚する。
【００２１】
図４にはアクチュエータ２が適用される容器の一部も二点鎖線で図示されている。それ自体は当業者には周知の形態でよい容器９２は、その中心部上端から上方に延出するステム９４を備えており、かかるステム９４を下方に押圧して押し下げるとステム９４内に規定されている排出路（図示していない）を通して内容物が排出される。ステム９４の押圧を解除すると、容器９２内に配設されている弾性偏倚手段（図示していない）によってステム９４は弾性的に元の位置に上昇せしめられ、これによって内容物の排出が停止される。容器９２の上端外周部には環状係止ビード９６が配設されている。
【００２２】
本体４と操作部材６とから構成されているアクチュエータ２は、図４に図示する如く、本体４のスカート壁８を容器９２の上端部に被嵌し、スカート壁８の内周面上半部に形成されている複数個の突条１２の下端を容器９２の環状係止ビード９６の上面に当接せしめ、スカート壁８の内周面下部に形成されている環状係止突条１０を容器９２の環状係止ビード９６の下面側に係止せしめることによって、容器９２に装着される。容器９２のステム９４は本体４の小径円筒３０内に挿入され、小径円筒３０内に形成されている環状肩面３２が囲繞する導入口３３はステム９４に形成されている排出路（図示していない）に対向して位置し、ステム押し下げ面を構成する環状肩面３２はステム９４の上端周縁部に対向してその上方に位置する。
【００２３】
次に、本発明に従って構成されたアクチュエータの作用について説明する。容器の内容物を使用する際には、操作部材６の上壁５８に指を当接せしめて下方に押圧し、弾性部材６４の弾性偏倚作用に抗して上壁５８及び昇降板部６８を下降せしめる。上壁５８及び昇降板部６８を図５に示す位置まで下降せしめると、昇降板部６８の下面が本体４の吸引室５０の底壁５２の上面に当接せしめられる。一方、操作部材６のカバー部７２は、薄肉片８０及び薄肉帯片８２を介してその後端（図４において右端）に下向きの力が加えられる故に、本体４の突起２４を中心として図４及び図５において時計方向に旋回せしめられて、図５に示す開位置にせしめられる。この際には、カバー部７２に配設されている強制片８８が本体４の閉塞蓋４６の外面から離隔せしめられると共に、カバー部７２に配設されている開動片９０が閉塞蓋４６の突出片４７に作用して、カバー部７２の旋回に応じて閉塞蓋４６を図４に示す閉塞位置から図５に示す開放位置に旋回せしめ、かくして吐出路３６の吐出口４２が開放される。
【００２４】
操作部材６の上壁５８及び昇降板部６８を更に下降せしめると、昇降板部６８の下降に応じて本体４における支持片２８及びこれに保持されている部位が下降せしめられ、小径円筒３０の環状肩面３２が容器９２のステム９４の上端周縁部に当接せしめられ、しかる後においては操作部材６の上壁５８及び昇降板部６８の下降に付随してステム９４が図６に示す位置まで下降される。従って、ステム９４に形成されている排出路（図示していない）を通して内容物が排出され、吐出路３６の導入口３３から吐出路３６内に導入され、吐出路３６を通して流動して吐出口４２から吐き出される。
【００２５】
操作部材６の上壁５８から指を離隔して上壁５８の押圧を解除すると、ステム９４が初期位置まで上昇せしめられ、ステム９４に形成されている排出路を通しての内容物の排出が停止される。ステム９４の上昇に応じて、アクチュエータ２の本体４も図４及び図５に示す位置まで上昇せしめられる。また、弾性部材６４の弾性偏倚作用によって操作部材６が図４に示す位置まで上昇せしめられる。この際には、薄肉片８０及び薄肉帯片８２を介してカバー部７２の後端（図５において右端）に上向きの力が加えられる故に、カバー部７２は本体４の突起２４を中心として図４及び図５において反時計方向に、図４に示す閉位置まで旋回せしめられる。カバー部７２のかかる旋回の際には、カバー部７２に配設されている強制片８８が本体４の閉塞蓋４６に作用して閉塞蓋４６を図４に示す閉塞位置まで旋回せしめ、かくして吐出路３６の吐出口４２が閉塞される。操作部材６の昇降板部６８が図５に示す位置から図４に示す位置まで上昇せしめられると、図４及び図５を比較参照することによって明確に理解される如く、吸引室５０の容積が実質上零の状態から初期状態まで増大せしめられ、吐出口４２から吐き出されることなく吐出路３６内に残留していた内容物が吸引室５０内に吸引される。かくして、吐出路３６内に残留した内容物が発泡して体積が増大することに起因して内容物が吐出口４２から漏出することが充分確実に回避される。吸引室５０内に吸引された内容物は、次に操作部材６が操作されて昇降板部６８が図４に示す位置から図５に示す位置に下降せしめられる際に、吐出路３６に排出されて吐出口４２から吐き出される。
【符号の説明】
【００２６】
２：アクチュエータ
４：本体
６：操作部材
１８：案内壁
２２：スリット
３０：小径円筒
３２：環状肩面（ステム押し下げ面）
３３：導入口
３４：角筒
３６：吐出路
４２：吐出口
５０：吸引室
５６：連通孔
５８：上壁
６０：被案内壁
６２：突起
６４：弾性部材
６８：昇降板部
７２：カバ−部
８０：薄肉片
８２：薄肉帯片
８８：強制片
９０：開動片
９２：容器
９４：ステム
【図１】
0005878962.tif 000002
【図２】
0005878962.tif 000003
【図３】
0005878962.tif 000004
【図４】
0005878962.tif 000005
【図５】
0005878962.tif 000006
【図６】
0005878962.tif 000007